(57)【要約】【課題】スキャン指示を携帯端末からＷｅｂＳｅｒｖｉｃｅなどのプロトコルを用いて行った場合画像形成装置はスキャン画像の送信先を判断できないためユーザは画像形成装置に送信先をその都度設定する必要があった。【解決手段】携帯端末から第１のプロトコルで送信されたスキャン指示メッセージからスキャン画像を送付する送信先を解析し、第２のプロトコルでスキャン画像を携帯端末に送付する。【選択図】  図５
2015186065.tif 000002
【特許請求の範囲】
【請求項１】
画像形成装置と第１のプロトコル、第２のプロトコルで通信可能な携帯端末であって、
画像形成装置がスキャン指示待ち受け状態かを第１のプロトコルで問い合わせる状態問い合わせ手段Ｓ４０１と、
画像形成装置がスキャン指示待ち受け状態かを判断する状態判断手段Ｓ４０２と、
画像形成装置に第１のプロトコルでスキャン指示を行うスキャン指示手段Ｓ４０３と、
画像形成装置にスキャン指示を行った後に第２のプロトコルでファイル受信を受け付けるモードとなるサーバモード移行手段Ｓ４０４と、
スキャン画像ファイルを受信したかを判断するスキャン画像受信判断手段Ｓ４０５と、
スキャン画像受信後に第２のプロトコルでファイル受信を受け付けるモードを終了するサーバモード終了手段Ｓ４０７
とを保持することを特徴とする携帯端末と、
携帯端末と第１のプロトコル、第２のプロトコルで通信可能な画像形成装置であって
携帯端末からのスキャン指示を第１のプロトコルで受け付けるスキャン指示待ち受け状態へ移行するスキャン指示待ち受け状態移行手段Ｓ５０１と、
携帯端末から第１のプロトコルでメッセージを受信したかを判断するメッセージ受信判断手段Ｓ５０２と、
第１のプロトコルで受信したメッセージが状態問い合わせか否かを判断する状態問い合わせメッセージ解析手段Ｓ５０４と、
画像形成装置がスキャン指示待ち受け状態であることを第１のプロトコルで携帯端末に通知するスキャン指示待ち受け状態通知手段Ｓ５０５と、
第１のプロトコル受信したメッセージがスキャン指示か否かを判断するスキャンメッセージ解析手段Ｓ５０３と、
第１のプロトコルでスキャン指示のメッセージを受信したときにスキャン処理を実行するスキャン処理実行手段Ｓ５０６と、
第１のプロトコル受信したメッセージから送信元を特定する送信元特定手段Ｓ５０７と、
前記送信元特定手段で特定した送信先に第２のプロトコルでスキャン画像を送信するスキャン画像送付手段Ｓ５０８
とを保持することを特徴とする画像形成装置からなるスキャン画像送付システム。
【発明の詳細な説明】
【技術分野】
【０００１】
本発明は、モバイル端末からのスキャン指示に関する。
【背景技術】
【０００２】
従来、携帯端末と画像形成装置の通信において携帯端末がファイルサーバとなりＷｅｂＤａｖなどのプロトコルを用いて画像形成装置から画像ファイルを携帯端末に送信することでスキャン画像の送信を行う方法が知られている（特許文献１参照）。
【先行技術文献】
【特許文献】
【０００３】
【特許文献１】特開２０１４−２６３１号公報
【発明の概要】
【発明が解決しようとする課題】
【０００４】
しかし、スキャン指示を携帯端末からＷｅｂＳｅｒｖｉｃｅなどのプロトコルを用いて行った場合、画像形成装置はスキャン画像の送信先を判断できないためユーザは画像形成装置に送信先をその都度設定する必要があった。
【課題を解決するための手段】
【０００５】
本発明は、画像形成装置と第１のプロトコル、第２のプロトコルで通信可能な携帯端末であって、
画像形成装置がスキャン指示待ち受け状態かを第１のプロトコルで問い合わせる状態問い合わせ手段Ｓ４０１と、
画像形成装置がスキャン指示待ち受け状態かを判断する状態判断手段Ｓ４０２と、
画像形成装置に第１のプロトコルでスキャン指示を行うスキャン指示手段Ｓ４０３と、
画像形成装置にスキャン指示を行った後に第２のプロトコルでファイル受信を受け付けるモードとなるサーバモード移行手段Ｓ４０４と、
スキャン画像ファイルを受信したかを判断するスキャン画像受信判断手段Ｓ４０５と、
スキャン画像受信後に第２のプロトコルでファイル受信を受け付けるモードを終了するサーバモード終了手段Ｓ４０７
とを保持することを特徴とする携帯端末と、
携帯端末と第１のプロトコル、第２のプロトコルで通信可能な画像形成装置であって、
携帯端末からのスキャン指示を第１のプロトコルで受け付けるスキャン指示待ち受け状態へ移行するスキャン指示待ち受け状態移行手段Ｓ５０１と、
携帯端末から第１のプロトコルでメッセージを受信したかを判断するメッセージ受信判断手段Ｓ５０２と、
第１のプロトコルで受信したメッセージが状態問い合わせか否かを判断する状態問い合わせメッセージ解析手段Ｓ５０４と、
画像形成装置がスキャン指示待ち受け状態であることを第１のプロトコルで携帯端末に通知するスキャン指示待ち受け状態通知手段Ｓ５０５と、
第１のプロトコル受信したメッセージがスキャン指示か否かを判断するスキャンメッセージ解析手段Ｓ５０３と、
第１のプロトコルでスキャン指示のメッセージを受信したときにスキャン処理を実行するスキャン処理実行手段Ｓ５０６と、
第１のプロトコル受信したメッセージから送信元を特定する送信元特定手段Ｓ５０７と、
前記送信元特定手段で特定した送信先に第２のプロトコルでスキャン画像を送信するスキャン画像送付手段Ｓ５０８
とを保持することを特徴とする画像形成装置からなるスキャン画像送付システムである。
【発明の効果】
【０００６】
本発明によれば、ユーザが送信先をデバイスに設定することなくスキャン指示を行った携帯端末にスキャン画像を送付できる。
【図面の簡単な説明】
【０００７】
【図１】本発明の主なユースケースを示す図である。
【図２】携帯端末のハードウェア構成を示す図である。
【図３】画像形成装置の制御構成を示すブロック図である。
【図４】携帯端末からデバイスへスキャン指示を行う場合の動作フローを示す図である。
【図５】スキャン指示待ち受け操作を行われた場合のデバイスの動作フローを示す図である。
【図６】デバイスと携帯端末で送受信されるＷｅｂＳｅｒｖｉｃｅプロトコルを用いたメッセージのデータ構造を示した図である。
【発明を実施するための形態】
【０００８】
以下、本発明に係る第１実施形態に係る画像形成装置について、図面を参照して説明する。
【実施例１】
【０００９】
図１は本発明の主なユースケースを示す図である。デバイス１０３は携帯端末１０２と無線ＬＡＮ１０４で接続されている。ユーザ１０１は携帯端末１０２を操作することによりデバイス１０３に対してスキャン指示を行うことができる。
【００１０】
図２は本発明の実施形態の携帯端末１０２のハードウェア構成を示す図である。ＣＰＵ２０１は、システム全体を制御するプロセッサである。ＲＡＭ２０２は、ＣＰＵ２０１が動作するためのシステムワークメモリであり、プログラムを記録するためのプログラムメモリとして使用される。ＨＤＤ２０３はデータ記憶領域である。操作部Ｉ／Ｆ２０４は、操作部２０６とのインターフェース部で、操作部２０６からの入力信号を受け付ける。また、操作部２０６からユーザが入力した情報を、ＣＰＵ２０１に伝える役割をする。表示部Ｉ／Ｆ２０９は、表示部２１０とのインターフェース部で、ＣＰＵ２０１の制御に応じて表示部２１０への出力信号を出力する。無線ＬＡＮインタフェース２０８は、無線ＬＡＮに接続するための機能ユニットで、無線ＬＡＮを介して他のデバイスのステータスを取得したり、ステータスを返したりするために使用される。以上のデバイスがシステムバス２０５上に配置される。
【００１１】
図３は図１で示した本発明を適用できるデバイス１０３の構成を示すハードウェア構成の概略を示すブロック図である。コントローラユニット３０１は、文書等の画像を読み取って画像データを入力する画像入力デバイスとしてのスキャナ３１３と接続する。また、図１で示した無線ＬＡＮ１０４と接続する。それらの機器と接続することで、画像情報やデバイス情報の入出力を行うためのコントローラである。
【００１２】
ＣＰＵ３０２は、図１のデバイス１０３内のシステム全体を制御するコントローラである。ＲＡＭ３０３は、ＣＰＵ３０２が動作するためのシステムワークメモリであり、且つ画像データを一時記憶するための画像メモリである。ＲＯＭ３０７は、ブートＲＯＭであり、デバイス１０３のシステムのブートプログラムが格納されている。
【００１３】
メモリ３０８は、デバイス１０３のハードディスクドライブ等の記憶装置である。そして、図３に示すシステムソフトウェアやアプリケーションソフトウェア、画像データを格納する。
【００１４】
操作部Ｉ／Ｆ３０４  は、操作部３０５とのインタフェース部であり、操作部３０５に表示する画像データを操作部３０５に対して出力する。また、操作部Ｉ／Ｆ３０４は、操作部３０５からユーザが入力した情報をＣＰＵ３０２に伝える機能を有する。Ｎｅｔｗｏｒｋ  Ｉ／Ｆ３０６は、無線ＬＡＮ１０４に接続され、情報の入出力を行う。上述した各デバイスがシステムバス３１４上に配置される。
【００１５】
Ｉｍａｇｅ  Ｂｕｓ  Ｉ／Ｆ  ３０９は、データ構造を変換するバスブリッジであり、システムバス３１４及び画像データを高速で転送する画像バス３１５に接続されている。画像バス３１５は、ＰＣＩバス又はＩＥＥＥ１３９４で構成される。画像バス３１５上には、画像圧縮伸張・密度変換部３１０、デバイスＩ／Ｆ３１１、スキャナ画像処理部３１２の各デバイスが配置される。
【００１６】
画像圧縮伸張・密度変換部３１０は、多値画像データをＪＰＥＧに変換したり、２値画像データに対してＪＢＩＧ、ＭＭＲ、又はＭＨの圧縮伸長処理をしたりする。デバイスＩ／Ｆ３１１は、スキャナ３１３とコントローラユニット３０１とを接続する。スキャナ画像処理部３１２は、スキャナ３１３より入力された画像データに対して補正、加工、及び編集を行う。
【００１７】
図４は携帯端末１０２からデバイス１０３へスキャン指示を行う場合の動作フローである。本フローは携帯端末１０２のＣＰＵ２０１で実行される。
【００１８】
携帯端末１０２はユーザ１０１から操作部２０６を介してスキャン実行指示を受け付けるとデバイス１０３に対してＷｅｂＳｅｒｖｉｃｅプロトコルを用いて通信を行いデバイス１０３がスキャン指示待ち受け状態が否かを問い合わせる（Ｓ４０１）。
【００１９】
次に携帯端末１０２は問い合わせの結果を判断する（Ｓ４０２）。デバイス１０３がスキャン待ち受け状態でなければ処理を終了する。
【００２０】
次に携帯端末１０２はデバイス１０３がスキャン待ち受け状態であればスキャン指示のメッセージをＷｅｂＳｅｒｖｉｃｅプロトコルを用いてデバイス１０３へ送信する（Ｓ４０３）。
【００２１】
次に携帯端末１０２はＷｅｂＤａｖプロトコルでのファイル受信を受け付けるＷｅｂＤａｖサーバモードへと移行する（Ｓ４０４）。ＷｅｂＤａｖサーバモードで無い時に送信要求を受け付けても携帯端末１０２は応答しない。
【００２２】
次に携帯端末１０２はデバイス１０３からＷｅｂＤａｖプロトコルによって画像ファイルを受信したか否かを判断する（Ｓ４０５）。携帯端末１０２は画像ファイルを受信していなければ再び画像ファイルの受信を待つ。
【００２３】
携帯端末１０２は画像ファイルを受信すると一定時間ＷＡＩＴ状態となり、この時間内にファイルの受信が完了することを期待する（Ｓ４０６）。本実施例では一定時間ＷＡＩＴしファイルの受信を行っているが受信の終了を検知する手段を用いてもよい。
【００２４】
次に携帯端末１０２はＷｅｂＤａｖプロトコルでのファイル受信を受け付けるＷｅｂＤａｖサーバモードを終了する（Ｓ４０７）。
【００２５】
図５はユーザ１０１からスキャン指示待ち受け操作を行われた場合のデバイス１０３の動作フローである。本フローはデバイス１０３のＣＰＵ３０２で実行される。
【００２６】
デバイス１０３はユーザ１０１から操作部３０５を介してスキャン指示待ち受け指示を受け付けるとスキャン指示待ち受け状態に移行する（Ｓ５０１）。スキャン指示待ち受け状態でない時にＷｅｂＳｅｒｖｉｃｅプロトコルを用いたメッセージを受信してもデバイス１０３は応答しない。
【００２７】
次にデバイス１０３はＷｅｂＳｅｒｖｉｃｅプロトコルを用いたメッセージを受信したかを判断する（Ｓ５０２）。メッセージを受信していなければ再びメッセージの受信を待つ。
【００２８】
次にデバイス１０３は受信したメッセージのスキャン指示メッセージ部６０４の値から受信したメッセージがスキャン指示メッセージか否かを判断する（Ｓ５０３）。
【００２９】
スキャン指示メッセージでないと判断するとデバイス１０３は受信したメッセージの状態問い合わせメッセージ部６０５の値から受信したメッセージが状態問い合わせメッセージか否かを判断する（Ｓ５０４）。状態問い合わせメッセージではないと判断するとデバイス１０３は再びメッセージの受信を待つ。
【００３０】
状態問い合わせメッセージと判断するとデバイス１０３は携帯端末１０２にスキャン指示待ち受け状態であることを通知し再びメッセージの受信を待つ（Ｓ５０５）。
【００３１】
受信したメッセージがスキャン指示メッセージだと判断するとデバイス１０３はスキャナ３１３からの画像情報を受け取り、スキャナ画像処理部３１２が連携しながら、スキャンを実行しスキャン画像をＲＡＭ３０３に格納する（Ｓ５０６）。
【００３２】
次にデバイス１０３は受信したメッセージの送信元メッセージ部６０３の値からメッセージを送信した携帯端末１０２のＩＰアドレスを取得する（Ｓ５０７）。
【００３３】
次にデバイス１０３はＳ５０７で取得したＩＰアドレスに対してスキャン画像をＷｅｂＤａｖプロトコルでファイル送信し処理を終了する（Ｓ５０８）。
【００３４】
図６はデバイス１０３と携帯端末１０２で送受信されるＷｅｂＳｅｒｖｉｃｅプロトコルを用いたメッセージのデータ構造を示した図である。
【００３５】
ＨＴＴＰヘッダ６０１にはメッセージ送信に使用したＨＴＴＰのバージョン、使用されている文字コード、後続するデータがＳＯＡＰであることが記述される。ＳＯＡＰヘッダ６０２にはデータ改ざん防止のハッシュ値やセッションＩＤなどが格納される。送信元メッセージ６０３は送信元のＩＰアドレスが格納される。スキャン指示メッセージ６０４はスキャン指示の有無を示す属性でありスキャン指示を行う場合は１が格納される。状態問い合わせメッセージ６０５は状態問い合わせ指示の有無を示す属性であり状態問い合わせを行う場合は１が格納される。送信元メッセージ６０３、スキャン指示メッセージ６０４、状態問い合わせメッセージ６０５はＳＯＡＰ本体でありＸＭＬで記述される。
【符号の説明】
【００３６】
１０１：ユーザ
１０２：携帯端末
１０３：デバイス
【図１】
2015186065.tif 000003
【図２】
2015186065.tif 000004
【図３】
2015186065.tif 000005
【図４】
2015186065.tif 000006
【図５】
2015186065.tif 000007
【図６】
2015186065.tif 000008